【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
コアとシースとを含む２成分ステープル繊維またはショートカット繊維であって、前記シースおよび前記コアは異なる融点を有し、前記シースの融点は前記コアの融点よりも低く、前記２成分繊維は外側トリローバル形状の断面を有する、繊維。
【請求項２】
前記シースがコア上のコンフォーマル層である、請求項１に記載の２成分ステープル繊維またはショートカット繊維。
【請求項３】
前記繊維が三角対称性を有し、前記シース材料の各ローブが、前記コアから放射状に広がる軸を有し、前記トリローバル形状の３つの軸が互いに角度をなして離間し、前記コアが三角対称性を有する、請求項１または２に記載の２成分ステープル繊維またはショートカット繊維。
【請求項４】
前記２成分繊維の前記コアが、前記外側トリローバル形状の断面に適合するデルタ形状の断面またはトリローバル形状の断面を有する、請求項３に記載の２成分ステープル繊維またはショートカット繊維。
【請求項５】
前記シースに使用されるポリマーがコポリエステル、ポリオレフィン、またはオレフィンコポリマーであり、前記コアに使用されるポリマーが、ポリオレフィン、オレフィンコポリマーまたはポリエステルもしくはコポリエステルである、請求項１から４のいずれかに記載の２成分ステープル繊維またはショートカット繊維。
【請求項６】
前記シースが１０〜９０重量％の前記繊維を有し、前記コアが９０〜１０重量％の前記繊維を有する、請求項１から５のいずれかに記載の２成分ステープルまたはショートカット繊維。
【請求項７】
前記シースがポリエチレンから作製され、３０〜７０重量％の前記繊維を有し、前記コアがポリプロピレンから作製され、７０〜３０重量％の前記繊維を有する、請求項１から６のいずれかに記載の２成分ステープル繊維またはショートカット繊維。
【請求項８】
最終タイターが０．５〜３５ｄｔｅｘ、好ましくは０．９〜１７ｄｔｅｘである、請求項１から７のいずれかに記載の２成分ステープル繊維またはショートカット繊維。
【請求項９】
請求項１から８のいずれかに記載の２成分ステープル繊維またはショートカット繊維を用いて製造された不織布構造体。
【請求項１０】
前記不織布構造体が、カード熱結合、カードエアスルー結合、スパンボンドによって製造されるか、またはメルトブローされる、請求項９に記載の不織布構造体。
【請求項１１】
ステープル繊維またはショートカット繊維の交絡を有する不織布構造体であって、前記ステープル繊維またはショートカット繊維が、２成分繊維に熱的に結合されるか、または場合により一部の１成分繊維に熱的に結合された２成分繊維を含み、前記２成分繊維が、コアおよびシースを含み、前記シースおよび前記コアが異なる融点を有し、前記シースの融点が前記コアの融点よりも低く、前記２成分繊維が外側トリローバル形状の断面を有する、不織布構造体。
【請求項１２】
各シースがコア上のコンフォーマル層である、請求項１１に記載の不織布構造体。
【請求項１３】
前記２成分繊維の前記コアがデルタ形状またはトリローバル形状の断面を有する、請求項１１または１２に記載の不織布構造体。
【請求項１４】
前記不織布構造体が、１２ｇｓｍ〜１７０ｇｓｍの目付量を有する、請求項９から１３のいずれかに記載の不織布構造体。
【請求項１５】
吸収性物品における表面シートとしての請求項９から１４のいずれかに記載の不織布構造体の使用、または液体透過性の身体に面するカバー層、液体不透過性の衣類に面するバリア層、および前記カバー層と前記バリア層との間の吸収性コアを含む吸収性物品における使用であって、前記カバー層が、請求項９から１４のいずれかに記載の不織布構造体を含む、使用。
【請求項１６】
前記表面シートの下に取得／輸送シートと吸収性シートと液体不透過性バッキングシートとを含む吸収性物品における請求項１５に記載の使用。
【請求項１７】
フィルタ、衛生製品、カーペット、ラグもしくはマット、内装材、またはドライワイプもしくはウェットワイプにおける、請求項９から１４のいずれかに記載の不織布構造体の使用。
【手続補正２】
【補正対象書類名】明細書
【補正対象項目名】００２７
【補正方法】変更
【補正の内容】
【００２７】
【図１】図１は、本発明の一実施形態による、紡糸されたままのＰＰ／ＰＥ２成分／トリローバル繊維を示す。
【図２】図２は、本発明の一実施形態によるＰＰ／ＰＥ２成分／トリローバル繊維（２．２ｄｔｅｘ）を示す。
【図３】図３は、ＰＰ／ＰＥ２成分／円形繊維（２．２ｄｔｅｘ）を示す。
【図４】図４は、光学顕微鏡倍率の結合スポットを示す。
【図５】図５は、剥離試験の実行中のダイナモメータの典型的な構成を示す。
【図６】図６は、ＰＰ／ＰＥ２成分円形＋ＰＰ１成分円形系の剥離曲線を示す。
【図７】図７は、ＰＰ／ＰＥ２成分トリローバル＋ＰＰ１成分円形系の剥離曲線を示す。
【図８】図８は、分析された系の１センチニュートン単位で測定された剥離力の概要を示す表Ａを含む。
【図９Ａ】図９Ａは、本発明の実施形態によるワイプを概略的に示す。
【図９Ｂ】図９Ｂは、本発明の実施形態によるワイプを概略的に示す。
【図９Ｃ】図９Ｃは、本発明の実施形態によるワイプを概略的に示す。
【図１０】図１０は、本発明の一実施形態によるドライワイプを概略的に示す。
【図１１】図１１は、本発明の一実施形態によるフィルタを概略的に示す。
【図１２】図１２は、本発明の一実施形態によるカーペットを概略的に示す。
【手続補正３】
【補正対象書類名】明細書
【補正対象項目名】００２８
【補正方法】変更
【補正の内容】
【００２８】
定義
「トリローバル形状の繊維」は、３つの先端部によって規定され、シース材料で作製される３つのローブと、繊維を通る軸方向に延びるほぼ中実の中央コアセクションとを含むトリローバル断面の幾何学的形状を有する。本発明の実施形態のいずれかで使用されるトリローバル形状の繊維のいずれかは、例えば単独で、組み合わせてまたはブレンドで、ステープル繊維またはショートカット繊維であってもよい。トリローバル繊維は、３つのローブを有するシースを含み、したがって３つの先端部によって規定されたローブの断面幾何学形状を有し、シースと同様の形状を有する繊維を通って軸方向に延びるほぼ中実の中心コアセクションも有する。繊維の各外側（少なくとも熱結合の前）は、好ましくは、各先端部と隣接する先端部との間に延びる滑らかに湾曲した輪郭を規定し、各側面は、好ましくは、隣接する先端部の間のほぼ中間点に位置する凹領域を含む。しかし、三角形および凸状の曲線でさえ、特定の用途には有効であり得る。したがって、他の形状も本発明の範囲内に含まれるが、任意の形状において、コア材料よりも低い融点（例えば１０℃差）を有する外側にシース材料を与える３または４のローブが存在することが好ましい。好ましくは、繊維の各外側は、好ましくは、各先端部と隣接する先端部との間に延びる輪郭を規定し、そのような輪郭はそれぞれ、以下の直線、凹形状または凸形状のいずれか１つを含むことができる。凸形状の場合、凸形状は、好ましくは、２つの隣接する先端部の間に引かれた線を越えて延びるようには、コアからはみ出さない。
【手続補正４】
【補正対象書類名】明細書
【補正対象項目名】００４４
【補正方法】変更
【補正の内容】
【００４４】
ワイプおよび衛生製品
本発明の実施形態のいずれかは、コアとシースとを含む２成分ステープルまたはショートカットの、場合によりクリンプされた繊維で作製された不織布構造体を含むワイプまたは衛生製品であることができ、このシースおよびコアは異なる融点を有し、シースの融点はコアの融点よりも低く、２成分繊維は外側トリローバル形状の断面を有する。シースは、コア上のコンフォーマル層であることができる。２成分繊維のコアは、デルタ形状またはトリローバル形状の断面を有することができる。不織布構造体は、１２ｇｓｍ〜１７０ｇｓｍの間の目付量を有することができる。２成分ステープルまたはショートカット繊維は三角対称性を有し、シース材料の各ローブはコアから放射状に広がる軸を有し、トリローバル形状の３つの軸は互いに角度をなして離間しており、コアは三角対称性を有する。２成分ステープルまたはショートカット繊維のコアは、外側トリローバル形状の断面に適合するデルタ形状またはトリローバル形状の断面を有することができる。シースに使用されるポリマーは、コポリエステル、ポリオレフィン、またはオレフィンコポリマーであることができ、コアに使用されるポリマーは、ポリオレフィン、オレフィンコポリマーまたはポリエステルもしくはコポリエステルである。シースは、１０〜９０重量％の繊維を有することができ、コアは、９０〜１０重量％の繊維を有することができる。シースは、ポリエチレンから作製でき、４５〜５５重量％の繊維を有することができ、コアはポリプロピレンから作製でき、５５〜４５重量％の繊維を有することができる。最終タイターは、０．５〜３５ｄｔｅｘ、好ましくは０．９〜１７ｄｔｅｘであることができる。
【手続補正５】
【補正対象書類名】明細書
【補正対象項目名】００６１
【補正方法】変更
【補正の内容】
【００６１】
ドライワイプ
本発明の実施形態のいずれかは、コアとシースとを含む２成分ステープルまたはショートカットの、場合によりクリンプされた繊維で作製された不織布構造体を含むドライワイプまたは衛生製品であることができ、このシースおよびコアは異なる融点を有し、シースの融点はコアの融点よりも低く、２成分繊維は外側トリローバル形状の断面を有する。シースは、コア上のコンフォーマル層であることができる。２成分繊維のコアは、デルタ形状またはトリローバル形状の断面を有することができる。不織布構造体は、１２ｇｓｍ〜１７０ｇｓｍの目付量を有する。２成分ステープルまたはショートカット繊維は三角対称性を有し、シース材料の各ローブはコアから放射状に広がる軸を有し、トリローバル形状の３つの軸は互いに角度をなして離間しており、コアは三角対称性を有する。２成分ステープルまたはショートカット繊維のコアは、外側トリローバル形状の断面に適合するデルタ形状またはトリローバル形状の断面を有する。シースに使用されるポリマーは、コポリエステル、ポリオレフィン、またはオレフィンコポリマーであることができ、コアに使用されるポリマーは、ポリオレフィン、オレフィンコポリマーまたはポリエステルもしくはコポリエステルである。シースは、１０〜９０重量％の繊維を有することができ、コアは、９０〜１０重量％の繊維を有することができる。シースは、ポリエチレンから作製でき、４５〜５５重量％の繊維を有することができ、コアはポリプロピレンから作製でき、５５〜４５重量％の繊維を有することができる。最終タイターは、０．５〜３５ｄｔｅｘ、好ましくは０．９〜１７ｄｔｅｘであることができる。
【手続補正６】
【補正対象書類名】明細書
【補正対象項目名】００７６
【補正方法】変更
【補正の内容】
【００７６】
カーペット、マット、内装材
本発明の実施形態のいずれかは、コアとシースとを含む２成分ステープルまたはショートカットの、場合によりクリンプされた繊維で作製された不織布構造体を含むカーペット、マットもしくはラグ、内装材であることができ、このシースおよびコアは異なる融点を有し、シースの融点はコアの融点よりも低く、２成分繊維は外側トリローバル形状の断面を有する。シースは、コア上のコンフォーマル層であることができる。２成分繊維のコアは、デルタ形状またはトリローバル形状の断面を有することができる。不織布構造体は、１２ｇｓｍ〜１７０ｇｓｍの目付量を有する。２成分ステープルまたはショートカット繊維は三角対称性を有し、シース材料の各ローブはコアから放射状に広がる軸を有し、トリローバル形状の３つの軸は互いに角度をなして離間しており、コアは三角対称性を有する。２成分ステープルまたはショートカット繊維のコアは、外側トリローバル形状の断面に適合するデルタ形状またはトリローバル形状の断面を有する。シースに使用されるポリマーは、コポリエステル、ポリオレフィン、またはオレフィンコポリマーであることができ、コアに使用されるポリマーは、ポリオレフィン、オレフィンコポリマーまたはポリエステルもしくはコポリエステルである。シースは、１０〜９０重量％の繊維を有することができ、コアは、９０〜１０重量％の繊維を有することができる。シースは、ポリエチレンから作製でき、４５〜５５重量％の繊維を有することができ、コアはポリプロピレンから作製でき、５５〜４５重量％の繊維を有することができる。最終タイターは、０．５〜３５ｄｔｅｘ、好ましくは０．９〜１７ｄｔｅｘであることができる。